(57)【要約】【課題】部品支持部材に散在された部品を好適に回収することを課題とする。【解決手段】  本発明のばら部品供給装置では、複数の部品を散在させた状態で支持する部品支持部材１５０と、その部品支持部材に搖動可能に配設された部品収容容器１８０と、部品支持部材をスライドさせることで、部品支持部材の上に支持された部品を部品収容容器に収容する部品支持部材移動装置１５２と、部品収容容器を搖動させることで、部品収容容器の開口を部品支持部材に向けるように部品収容容器の姿勢を変化させる容器搖動装置１８１とを備えている。そして、部品収容容器に部品が収容され、回収容器４７０が部品支持部材に載置された状態で、部品収容容器の姿勢を変化させることで、部品収容容器に収容された部品が回収容器に投入される。これにより、回収容器を部品支持部材から取り外すことで、部品支持部材に散在された部品を好適に回収することが可能となる。【選択図】図１３
2018079532.tif 000002
【特許請求の範囲】
【請求項１】
複数の部品を散在させた状態で支持面において支持する部品支持部と、
前記支持面において支持された部品を自身の開口から収容可能な収容容器と、
前記支持面において支持された部品を前記収容容器の開口から前記収容容器に収容する収容装置と、
前記収容容器の開口を前記支持面に向けるように、前記収容容器の姿勢を変化させることで、前記収容容器に収容された部品を前記支持面に散在させる容器姿勢変化装置と、
前記支持面に着脱可能に載置される回収容器と
を備え、
前記収容容器に部品が収容されており、前記回収容器が前記支持面に載置された状態で、前記収容容器の姿勢を前記容器姿勢変化装置によって変化させることで、前記収容容器に収容された部品を前記回収容器に回収する部品供給システム。
【請求項２】
前記収容容器が、前記部品支持部の端部に連結されており、
前記収容装置が、
前記部品支持部を、前記収容容器とともに、前記収容容器が連結されている端部と反対側の端部に向かってスライドさせるスライド機構と、
前記支持面の上方に配設され、前記部品支持部のスライドに伴って前記支持面に支持された部品に当接する当接部と
を有し、前記部品支持部のスライドに伴って前記当接部に当接した部品が、開口から前記収容容器の内部に落下することで、前記支持面において支持された部品を前記収容容器に収容し、
前記収容容器が、
前記回収容器が前記支持面に載置された状態で前記部品支持部がスライドされた際に、前記回収容器が当接し、前記部品支持部のスライドを規制するストッパを有する請求項１に記載の部品供給システム。
【請求項３】
所定の入力を受け付ける受付部と、
前記受付部によって所定の入力が受け付けられた後に、前記収容装置の作動を制御し、前記支持面に支持された部品を前記収容容器に収容する収容部と、
前記収容部によって前記支持面に支持された部品が前記収容容器に収容された後に、前記支持面への前記回収容器の載置を促す旨の情報を報知する報知部と、
前記支持面に前記回収容器が載置されているか否かを示す情報を取得する取得部と、
前記取得部によって前記支持面に前記回収容器が載置されていることを示す情報が取得された後に、前記容器姿勢変化装置の作動を制御し、前記収容容器の姿勢を変化させることで、前記収容容器に収容された部品を前記回収容器に回収する回収部と
を有する制御装置を備える請求項１または請求項２に記載の部品供給システム。
【発明の詳細な説明】
【技術分野】
【０００１】
本発明は、複数の部品を散在された状態で支持する部品支持部から部品を供給する部品供給システムに関するものである。
【背景技術】
【０００２】
部品供給システムには、ホッパー等の部品収容器から部品支持部に部品が散在され、その散在された状態で部品を供給するシステムが存在する。下記特許文献には、このような部品供給システムの一例が記載されている。
【０００３】
【特許文献１】国際公開第２０１５／０９７９０４号
【発明の概要】
【発明が解決しようとする課題】
【０００４】
上記構造の部品供給システムでは、供給する部品の種類が変更される際には、部品支持部に散在された部品を回収する必要がある。本発明は、そのような実情に鑑みてなされたものであり、部品支持部に散在された部品を好適に回収することを課題とする。
【課題を解決するための手段】
【０００５】
上記課題を解決するために、本明細書は、複数の部品を散在させた状態で支持面において支持する部品支持部と、前記支持面において支持された部品を自身の開口から収容可能な収容容器と、前記支持面において支持された部品を前記収容容器の開口から前記収容容器に収容する収容装置と、前記収容容器の開口を前記支持面に向けるように、前記収容容器の姿勢を変化させることで、前記収容容器に収容された部品を前記支持面に散在させる容器姿勢変化装置と、前記支持面に着脱可能に載置される回収容器とを備え、前記収容容器に部品が収容されており、前記回収容器が前記支持面に載置された状態で、前記収容容器の姿勢を前記容器姿勢変化装置によって変化させることで、前記収容容器に収容された部品を前記回収容器に回収する部品供給システムを開示する。
【発明の効果】
【０００６】
本開示によれば、部品支持部に散在された部品を回収容器に回収することで、部品支持部に散在された部品を好適に回収することが可能となる。
【図面の簡単な説明】
【０００７】
【図１】部品実装機を示す斜視図である。
【図２】部品実装機の部品装着装置を示す斜視図である。
【図３】ばら部品供給装置を示す斜視図である。
【図４】部品供給ユニットを示す斜視図である。
【図５】部品供給ユニットを示す透過図である。
【図６】部品供給ユニットを示す透過図である。
【図７】部品散在装置を示す斜視図である。
【図８】部品散在装置を示す斜視図である。
【図９】部品保持ヘッドを示す斜視図である。
【図１０】リード部品が収納された状態の部品受け部材を示す図である。
【図１１】部品実装機の制御装置を示すブロック図である。
【図１２】回収容器を示す斜視図である。
【図１３】回収容器が載置された状態のステージを示す斜視図である。
【図１４】回収容器が載置された状態のステージを示す斜視図である。
【発明を実施するための形態】
【０００８】
以下、本発明を実施するための形態として、本発明の実施例を、図を参照しつつ詳しく説明する。
【０００９】
部品実装機の構成
図１に、部品実装機１０を示す。部品実装機１０は、回路基材１２に対する部品の実装作業を実行するための装置である。部品実装機１０は、装置本体２０、基材搬送保持装置２２、部品装着装置２４、撮像装置２６，２８、部品供給装置３０、ばら部品供給装置３２、制御装置（図１１参照）３４を備えている。なお、回路基材１２として、回路基板、三次元構造の基材等が挙げられ、回路基板として、プリント配線板、プリント回路板等が挙げられる。
【００１０】
装置本体２０は、フレーム部４０と、そのフレーム部４０に上架されたビーム部４２とによって構成されている。基材搬送保持装置２２は、フレーム部４０の前後方向の中央に配設されており、搬送装置５０とクランプ装置５２とを有している。搬送装置５０は、回路基材１２を搬送する装置であり、クランプ装置５２は、回路基材１２を保持する装置である。これにより、基材搬送保持装置２２は、回路基材１２を搬送するとともに、所定の位置において、回路基材１２を固定的に保持する。なお、以下の説明において、回路基材１２の搬送方向をＸ方向と称し、その方向に直角な水平の方向をＹ方向と称し、鉛直方向をＺ方向と称する。つまり、部品実装機１０の幅方向は、Ｘ方向であり、前後方向は、Ｙ方向である。
【００１１】
部品装着装置２４は、ビーム部４２に配設されており、２台の作業ヘッド６０，６２と作業ヘッド移動装置６４とを有している。各作業ヘッド６０，６２は、吸着ノズル（図２参照）６６を有しており、吸着ノズル６６によって部品を保持する。また、作業ヘッド移動装置６４は、Ｘ方向移動装置６８とＹ方向移動装置７０とＺ方向移動装置７２とを有している。そして、Ｘ方向移動装置６８とＹ方向移動装置７０とによって、２台の作業ヘッド６０，６２は、一体的にフレーム部４０上の任意の位置に移動させられる。また、各作業ヘッド６０，６２は、図２に示すように、スライダ７４，７６に着脱可能に装着されており、Ｚ方向移動装置７２は、スライダ７４，７６を個別に上下方向に移動させる。つまり、作業ヘッド６０，６２は、Ｚ方向移動装置７２によって、個別に上下方向に移動させられる。
【００１２】
撮像装置２６は、下方を向いた状態でスライダ７４に取り付けられており、作業ヘッド６０とともに、Ｘ方向，Ｙ方向およびＺ方向に移動させられる。これにより、撮像装置２６は、フレーム部４０上の任意の位置を撮像する。撮像装置２８は、図１に示すように、フレーム部４０上の基材搬送保持装置２２と部品供給装置３０との間に、上を向いた状態で配設されている。これにより、撮像装置２８は、作業ヘッド６０，６２の吸着ノズル６６に保持された部品を撮像する。
【００１３】
部品供給装置３０は、フレーム部４０の前後方向での一方側の端部に配設されている。部品供給装置３０は、トレイ型部品供給装置７８とフィーダ型部品供給装置（図示省略）とを有している。トレイ型部品供給装置７８は、トレイ上に載置された状態の部品を供給する装置である。フィーダ型部品供給装置は、テープフィーダ（図示省略）、スティックフィーダ（図示省略）によって部品を供給する装置である。
【００１４】
ばら部品供給装置３２は、フレーム部４０の前後方向での他方側の端部に配設されている。ばら部品供給装置３２は、ばらばらに散在された状態の複数の部品を整列させて、整列させた状態で部品を供給する装置である。つまり、任意の姿勢の複数の部品を、所定の姿勢に整列させて、所定の姿勢の部品を供給する装置である。以下に、部品供給装置３２の構成について詳しく説明する。なお、部品供給装置３０および、ばら部品供給装置３２によって供給される部品として、電子回路部品，太陽電池の構成部品，パワーモジュールの構成部品等が挙げられる。また、電子回路部品には、リードを有する部品，リードを有さない部品等が有る。
【００１５】
ばら部品供給装置３２は、図３に示すように、本体８０と、部品供給ユニット８２と、撮像装置８４と、部品引渡し装置８６とを有している。
【００１６】
（ａ）部品供給ユニット
部品供給ユニット８２は、部品供給器８８と部品散在装置（図４参照）９０と部品戻し装置（図５参照）９２とを含み、それら部品供給器８８と部品散在装置９０と部品戻し装置９２とが一体的に構成されたものである。部品供給ユニット８２は、本体８０のベース９６に着脱可能に組み付けられており、ばら部品供給装置３２では、５台の部品供給ユニット８２が、Ｘ方向に１列に並んで配設されている。
【００１７】
（i）部品供給器
部品供給器８８は、概して直方体の箱形状をなし、図４及び図５に示すように、Ｙ方向に延びるように配設されている。なお、Ｙ方向を部品供給器８８の前後方向と記載し、図５での左方向を前方と、図５での右方向を後方と記載する場合がある。つまり、部品供給ユニット８２において、部品戻し装置９２が配設されている側に向かう方向を、前方と記載し、部品供給器８８が配設されている側に向かう方向を、後方と記載する場合がある。
【００１８】
部品供給器８８は、上面と前面とにおいて開口しており、上面の開口は、部品の投入口９７とされ、前面の開口は部品の排出口９８とされている。部品供給器８８では、投入口９７の下方に、傾斜板１０４が配設されている。傾斜板１０４は、部品供給器８８の後方側の端面から中央方向に向かって、部品供給器８８の幅方向（Ｘ方向）の全体に配設されており、前方側の端部が下方に位置するように傾斜している。
【００１９】
また、傾斜板１０４の前方側には、図５に示すように、コンベア装置１０６が配設されている。コンベア装置１０６は、１対のローラ１０８，１１０とコンベアベルト１１２とを有している。１対のローラ１０８，１１０の各々は、部品供給器８８の内部において、部品供給器８８の幅方向に延びるように配設されており、部品供給器８８の幅方向の全体に架け渡されている。また、ローラ１０８は、傾斜板１０４の前方側の端部、つまり、傾斜板１０４の最も下方に位置する端部とクリアランスのある状態で対向している。なお、傾斜板１０４の前方側の端部とローラ１０８とのクリアランスは、部品供給器８８によって供給される部品より小さくされている。また、ローラ１１０は、ローラ１０８の前方側の斜め上方に配設されている。そして、コンベアベルト１１２が、１対のローラ１０８，１１０に巻き掛けられている。なお、コンベアベルト１１２は、幅広とされており、コンベアベルト１１２の幅方向の寸法は、部品供給器８８の幅方向の内寸より僅かに小さくされている。
【００２０】
また、１対のローラ１０８，１１０は軸心周りに回転可能とされており、回転装置１１４の作動により制御可能に回転する。なお、各ローラ１０８，１１０の回転方向は、図５での反時計回りの方向とされている。これにより、コンベアベルト１１２が、１対のローラ１０８，１１０の間において、図５での反時計回りに回転する。つまり、コンベアベルト１１２による搬送方向は、傾斜板１０４の前端部から前方に向かって斜め上方とされている。なお、コンベアベルト１１２の表面、つまり、搬送面には、コンベアベルト１１２の幅方向に延びるように、複数の突起部１１５が形成されている。複数の突起部１１５は、コンベアベルト１１２の回転方向において一定の間隔で形成されており、その間隔は、部品供給器８８によって供給される部品の長さ方向の寸法より長くされている。
【００２１】
また、コンベア装置１０６のローラ１１０の前方側の斜め上方には、ブラシ保持部１２３が配設されている。ブラシ保持部１２３は、部品供給器８８の幅方向に延びるように配設されており、部品供給器８８の幅方向の全体に架け渡されている。そして、そのブラシ保持部１２３の下端部には、コンベア装置１０６のローラ１１０に向かって延び出すように、幅広のブラシ１２４が取り付けられている。なお、ブラシ１２４の幅方向の寸法は、部品供給器８８の幅方向の内寸より僅かに小さくされており、ローラ１１０に巻き掛けられているコンベアベルト１１２と、部品供給器８８の幅方向の全体に渡って、クリアランスのある状態で対向している。なお、ブラシ１２４の先端と、ローラ１１０に巻き掛けられているコンベアベルト１１２とのクリアランスは、部品供給器８８によって供給される部品の厚さ方向の寸法より長く、厚さ方向の寸法の２倍未満とされている。
【００２２】
また、コンベア装置１０６のローラ１１０の前方側の斜め下方には、傾斜板１２６が配設されている。傾斜板１２６は、部品供給器８８の前方側の端面からローラ１１０の下方に向かって、部品供給器８８の幅方向の全体に配設されており、後方側の端部が下方に位置するように傾斜している。さらに、その傾斜板１２６の下方にも、傾斜板１２８が配設されている。傾斜板１２８は、コンベア装置１０６の中央部の下方から部品供給器８８の排出口９８に向かって、部品供給器８８の幅方向の全体に配設されており、前方側の端部が下方に位置するように傾斜している。なお、傾斜板１２８の後方側の端部は、傾斜板１２６の後方側の端部より後方に位置しており、その傾斜板１２８の後方側の端部は、上方に向かって直角に屈曲されている。また、傾斜板１２８の前方側の端部は、概して水平となるように後方に向かって屈曲されている。
【００２３】
また、ベース９６には、図４に示すように、１対のサイドフレーム部１３０が組み付けられている。１対のサイドフレーム部１３０は、対向した状態で互いに平行且つ、Ｙ方向に延びるように立設されている。そして、１対のサイドフレーム部１３０の間の距離は、部品供給器８８の幅方向の寸法より僅かに大きくされており、１対のサイドフレーム部１３０の間に、部品供給器８８が着脱可能に装着されている。
【００２４】
（ii）部品散在装置
部品散在装置９０は、部品支持部材１５０と部品支持部材移動装置１５２とを含む。部品支持部材１５０は、ステージ１５６と１対の側壁部１５８とによって構成されている。ステージ１５６は、概して長手形状の板形状をなし、１対のサイドフレーム部１３０の間に装着された部品供給器８８の下方から前方に延び出すように、配設されている。なお、ステージ１５６の上面は、概して水平とされており、図５に示すように、部品供給器８８の傾斜板１２８の屈曲された前方側の端部と僅かなクリアランスのある状態で配設されている。また、１対の側壁部１５８は、図４に示すように、ステージ１５６の長手方向の両側部に立設された状態で固定されており、各側壁部１５８の上端は、ステージ１５６の上面より上方に延び出している。
【００２５】
また、部品支持部材移動装置１５２は、図５に示すように、ガイドレール１６０とスライダ１６２とを含む。ガイドレール１６０は、部品支持部材１５０の下方において、ステージ１５６の長手方向に延びるように配設されている。スライダ１６２は、ガイドレール１６０にスライド可能に取り付けられており、電磁モータ（図１１参照）１６６の作動により、任意の位置にスライドする。また、部品支持部材１５０のステージ１５６は、連結機構１６８を介してスライダ１６２に連結されている。これにより、部品支持部材１５０は、部品支持部材移動装置１５２の作動によりＹ方向に移動し、部品供給器８８の下方に格納された格納状態（図６参照）と、部品供給器８８の下方から露出した露出状態（図５参照）との間で移動する。
【００２６】
（iii）部品戻し装置
部品戻し装置９２は、図７に示すように、部品収容容器１８０と容器搖動装置１８１とを含む。部品収容容器１８０は、概して箱状をなし、底面が円弧形状とされている。部品収容容器１８０は、部品支持部材１５０のステージ１５６の前方側の端部において搖動可能に保持されており、容器搖動装置１８１の作動により、揺動する。この際、部品収容容器１８０は、開口を上方に向けた収容姿勢（図７参照）と、開口を部品支持部材１５０のステージ１５６の上面に向けた戻し姿勢（図８参照）との間で搖動する。
【００２７】
（ｂ）撮像装置
撮像装置８４は、図３に示すように、カメラ２９０とカメラ移動装置２９２とを含む。カメラ移動装置２９２は、ガイドレール２９６とスライダ２９８とを含む。ガイドレール２９６は、部品供給器８８の上方において、ばら部品供給装置３２の幅方向（Ｘ方向）に延びるように、本体８０に固定されている。スライダ２９８は、ガイドレール２９６にスライド可能に取り付けられており、電磁モータ（図１１参照）２９９の作動により、任意の位置にスライドする。また、カメラ２９０は、下方を向いた状態でスライダ２９８に装着されている。
【００２８】
（ｃ）部品引渡し装置
部品引渡し装置８６は、図３に示すように、部品保持ヘッド移動装置３００と部品保持ヘッド３０２と２台のシャトル装置３０４とを含む。
【００２９】
部品保持ヘッド移動装置３００は、Ｘ方向移動装置３１０とＹ方向移動装置３１２とＺ方向移動装置３１４とを含む。Ｙ方向移動装置３１２は、Ｘ方向に延びるように、部品供給ユニット８２の上方に配設されたＹスライダ３１６を有しており、Ｙスライダ３１６は、電磁モータ（図１１参照）３１９の駆動により、Ｙ方向の任意の位置に移動する。Ｘ方向移動装置３１０は、Ｙスライダ３１６の側面に配設されたＸスライダ３２０を有しており、Ｘスライダ３２０は、電磁モータ（図１１参照）３２１の駆動により、Ｘ方向の任意の位置に移動する。Ｚ方向移動装置３１４は、Ｘスライダ３２０の側面に配設されたＺスライダ３２２を有しており、Ｚスライダ３２２は、電磁モータ（図１１参照）３２３の駆動により、Ｚ方向の任意の位置に移動する。
【００３０】
部品保持ヘッド３０２は、図９に示すように、ヘッド本体３３０と吸着ノズル３３２とノズル旋回装置３３４とノズル回転装置３３５とを含む。ヘッド本体３３０は、Ｚスライダ３２２と一体的に形成されている。吸着ノズル３３２は、部品を保持するものであり、ホルダ３４０の下端部に着脱可能に装着されている。ホルダ３４０は、支持軸３４４において屈曲可能とされており、ノズル旋回装置３３４の作動により、ホルダ３４０が上方向に９０度屈曲する。これにより、ホルダ３４０の下端部に装着されている吸着ノズル３３２は、９０度旋回し、旋回位置に位置する。つまり、吸着ノズル３３２は、ノズル旋回装置３３４の作動により、非旋回位置と旋回位置との間で旋回する。また、ノズル回転装置３３５は、吸着ノズル３３２をそれの軸心周りに回転させる。
【００３１】
また、２台のシャトル装置３０４の各々は、図３に示すように、部品キャリヤ３８８と部品キャリヤ移動装置３９０とを含み、部品供給ユニット８２の前方側に横方向に並んで、本体８０に固定されている。部品キャリヤ３８８には、５個の部品受け部材３９２が、横方向に一列に並んだ状態で装着されており、各部品受け部材３９２に、部品が載置される。
【００３２】
詳しくは、ばら部品供給装置３２で供給される部品は、図１０に示すように、リードを有する電子回路部品（以下、「リード部品」と略す場合がある）４１０であり、リード部品４１０は、ブロック状の部品本体４１２と、部品本体４１２の底面から突出する２本のリード４１４とから構成されている。また、部品受け部材３９２には、リード部品４１０に応じた形状の部品受容凹部４１６が形成されている。部品受容凹部４１６は、段付き形状の凹部であり、部品受け部材３９２の上面に開口する本体部受容凹部４１８と、その本体部受容凹部４１８の底面に開口するリード受容凹部４２０とから構成されている。そして、リード部品４１０は、リード４１４が下方を向く姿勢で、部品受容凹部４１６の内部に挿入される。これにより、リード４１４がリード受容凹部４２０に挿入されるとともに、部品本体４１２が本体部受容凹部４１８に挿入された状態で、リード部品４１０が部品受容凹部４１６の内部に載置される。
【００３３】
また、部品キャリヤ移動装置３９０は、図３に示すように、板状の長手部材であり、前後方向に延びるように、部品供給ユニット８２の前方側に配設されている。部品キャリヤ移動装置３９０の上面には、部品キャリヤ３８８が前後方向にスライド可能に配設されており、電磁モータ（図１１参照）４３０の駆動により、前後方向の任意の位置にスライドする。なお、部品キャリヤ３８８が、部品供給ユニット８２に接近する方向にスライドした際には、部品保持ヘッド移動装置３００による部品保持ヘッド３０２の移動範囲内に位置する部品受取位置までスライドする。一方、部品キャリヤ３８８が、部品供給ユニット８２から離れる方向にスライドした際には、作業ヘッド移動装置６４による作業ヘッド６０，６２の移動範囲内に位置する部品供給位置までスライドする。
【００３４】
また、制御装置３４は、図１１に示すように、統括制御装置４５０と、複数の個別制御装置（図では１つのみ図示されている）４５２と、画像処理装置４５４とを含む。統括制御装置４５０は、コンピュータを主体として構成されたものであり、基材搬送保持装置２２，部品装着装置２４，撮像装置２６，撮像装置２８，部品供給装置３０，ばら部品供給装置３２に接続されている。これにより、統括制御装置４５０は、基材搬送保持装置２２，部品装着装置２４，撮像装置２６，撮像装置２８，部品供給装置３０，ばら部品供給装置３２を統括して制御する。複数の個別制御装置４５２は、コンピュータを主体として構成されたものであり、基材搬送保持装置２２，部品装着装置２４，撮像装置２６，撮像装置２８，部品供給装置３０，ばら部品供給装置３２に対応して設けられている（図では、ばら部品供給装置３２に対応する個別制御装置４５２のみが図示されている）。ばら部品供給装置３２の個別制御装置４５２は、部品散在装置９０，部品戻し装置９２，カメラ移動装置２９２，部品保持ヘッド移動装置３００，部品保持ヘッド３０２，シャトル装置３０４に接続されている。これにより、ばら部品供給装置３２の個別制御装置４５２は、部品散在装置９０，部品戻し装置９２，カメラ移動装置２９２，部品保持ヘッド移動装置３００，部品保持ヘッド３０２，シャトル装置３０４を制御する。また、画像処理装置４５４は、撮像装置８４に接続されており、撮像装置８４により撮像された撮像データを処理する。その画像処理装置４５４は、ばら部品供給装置３２の個別制御装置４５２に接続されている。これにより、ばら部品供給装置３２の個別制御装置４５２は、撮像装置８４により撮像された撮像データを取得する。さらに、個別制御装置４５２には、表示装置４５６も接続されており、個別制御装置４５２からの指令に従って、表示装置４５６に所定の画像が表示される。また、個別制御装置４５２には、複数の操作スイッチ４５８も接続されており、各操作スイッチ４５８に応じた信号が個別制御装置４５２に入力される。
【００３５】
部品実装機の作動
部品実装機１０は、上述した構成によって、基材搬送保持装置２２に保持された回路基材１２に対して部品の装着作業が行われる。具体的には、回路基材１２が、作業位置まで搬送され、その位置において、クランプ装置５２によって固定的に保持される。次に、撮像装置２６が、回路基材１２の上方に移動し、回路基材１２を撮像する。これにより、回路基材１２の保持位置の誤差に関する情報が得られる。また、部品供給装置３０若しくは、ばら部品供給装置３２は、所定の供給位置において、部品を供給する。なお、ばら部品供給装置３２による部品の供給に関しては、後で詳しく説明する。そして、作業ヘッド６０，６２の何れかが、部品の供給位置の上方に移動し、吸着ノズル６６によって部品を保持する。続いて、部品を保持した作業ヘッド６０，６２が、撮像装置２８の上方に移動し、撮像装置２８によって、吸着ノズル６６に保持された部品が撮像される。これにより、部品の保持位置の誤差に関する情報が得られる。そして、部品を保持した作業ヘッド６０，６２が、回路基材１２の上方に移動し、保持している部品を、回路基材１２の保持位置の誤差，部品の保持位置の誤差等を補正し、回路基材１２上に装着する。
【００３６】
ばら部品供給装置の作動
（ａ）ばら部品供給装置によるリード部品の供給
ばら部品供給装置３２では、リード部品４１０が、作業者によって部品供給器８８の投入口９７から投入され、その投入されたリード部品４１０が、部品供給ユニット８２，部品引渡し装置８６の作動により、部品キャリヤ３８８の部品受け部材３９２に載置された状態で供給される。詳しくは、作業者は、部品供給器８８の上面の投入口９７から、リード部品４１０を投入する。この際、部品支持部材１５０は、部品支持部材移動装置１５２の作動により、部品供給器８８の下方に移動しており、格納状態とされる（図６参照）。なお、部品支持部材１５０が格納状態とされている際に、部品支持部材１５０の前方側の端部に配設された部品収容容器１８０は、部品供給器８８の前方に位置しており、部品収容容器１８０の開口を上方に向けた姿勢（収容姿勢）とされている。
【００３７】
部品供給器８８の投入口９７から投入されたリード部品４１０は、部品供給器８８の傾斜板１０４の上に落下し、傾斜板１０４の前方側の下端まで転がり落ちる。この際、傾斜板１０４の前方側の下端まで転がり落ちたリード部品４１０は、傾斜板１０４の前方側の下端と、コンベア装置１０６の後方側の下端との間に山積される。つまり、傾斜板１０４の前方側の下端と、コンベア装置１０６の後方側の下端との間が、リード部品４１０を収容するための収容部１００として機能している。そして、コンベア装置１０６の回転装置１１４が作動されることで、コンベア装置１０６のコンベアベルト１１２が図６での反時計回りに周回する。これにより、収容部１００に山積されたリード部品４１０が、コンベアベルト１１２によって前方側の斜め上方に向かって搬送される。
【００３８】
そして、コンベアベルト１１２によって斜め上方に向かって搬送されたリード部品４１０は、コンベア装置１０６の前方側の上端とブラシ１２４との間を通過し、コンベア装置１０６の前方側の上端とブラシ１２４との下方に配設された傾斜板１２６の上に落下する。その傾斜板１２６の上に落下したリード部品４１０は、傾斜板１２６の上を後方に向かって転がり落ち、傾斜板１２６の下方に配設された傾斜板１２８の上に落下する。その傾斜板１２８の上に落下したリード部品４１０は前方に向かって転がり落ち、部品供給器８８の前方側の排出口９８から排出される。このように、コンベア装置１０６の前方側の上端から落下したリード部品４１０は、一旦、傾斜板１２６の上に落下し、その後に、傾斜板１２８に上に落下する。そして、部品供給器８８の排出口９８からリード部品４１０が排出される。これにより、リード部品４１０の落下によるダメージを低減することが可能となる。
【００３９】
また、部品支持部材１５０は、部品供給器８８の排出口９８からリード部品４１０が排出されるタイミングに合わせて、部品支持部材移動装置１５２の作動により、部品供給器８８の下方から前方に向かって移動させられる。これにより、部品供給器８８の排出口９８から排出されたリード部品４１０が、部品支持部材１５０のステージ１５６の上面に排出される。
【００４０】
なお、部品供給器８８からステージ１５６の上に排出されたリード部品４１０が前方に向かって転がり、ステージ１５６の前端から転がり落ちた場合には、部品収容容器１８０に収納される。また、部品供給器８８からステージ１５６の上に排出されたリード部品４１０が側方に向かって転がった場合には、部品支持部材１５０の側壁部１５８によって、ステージ１５６からのリード部品４１０の落下が防止される。
【００４１】
そして、部品支持部材１５０が、格納状態から前方に向かって移動させられ、露出状態に至ると、部品支持部材１５０の移動が停止される。これにより、ステージ１５６の上面全体にリード部品４１０が散在される。なお、部品供給器８８では、部品支持部材１５０の移動が停止するタイミングに合わせて、部品供給器８８からリード部品４１０が最後に排出されるように、コンベア装置１０６の作動が停止される。
【００４２】
上述した手順に従って、部品供給器８８から部品支持部材１５０のステージ１５６の上にリード部品４１０が散在されると、撮像装置８４のカメラ２９０が、カメラ移動装置２９２の作動により、部品支持部材１５０の上方に移動させられ、リード部品４１０を撮像する。そして、部品支持部材１５０の上面に散在された複数のリード部品４１０が、撮像データに基づいて、吸着ノズル３３２によってピックアップ可能なリード部品（以下、「ピックアップ対象部品」と記載する場合がある）と、吸着ノズル３３２によってピックアップ不可能なリード部品（以下、「非ピックアップ対象部品」と記載する場合がある）とに分けられる。ピックアップ対象部品と非ピックアップ対象部品との区分け手法は、本発明とは関係ないため、簡単に説明するが、凹凸面等の吸着し難い面が上を向いた状態のリード部品４１０，リード４１４が部品支持部材１５０の上面に接触し、傾いた状態のリード部品４１０等が、非ピックアップ対象部品に区分けされ、それ以外のリード部品４１０が、ピックアップ対象部品に区分けされる。また、ピックアップ対象部品に区分けされたリード部品４１０に対して、撮像データに基づいて、部品支持部材１５０上での位置、リード部品４１０の姿勢等の情報が取得される。
【００４３】
そして、取得されたピックアップ対象部品の位置情報に基づいて、ピックアップ対象部品の上方に、部品保持ヘッド３０２が、部品保持ヘッド移動装置３００の作動により移動させられ、吸着ノズル３３２によってピックアップ対象部品が吸着保持される。なお、吸着ノズル３３２によってピックアップ対象部品が吸着保持される際には、吸着ノズル３３２は、非旋回位置に位置している。
【００４４】
次に、リード部品４１０が吸着ノズル３３２によって保持された後に、部品保持ヘッド３０２が部品キャリヤ３８８の上方に移動させられる。この際、部品キャリヤ３８８は、部品キャリヤ移動装置３９０の作動により、部品受取位置に移動する。また、部品保持ヘッド３０２が部品キャリヤ３８８の上方に移動する際に、吸着ノズル３３２は、旋回位置に旋回される。なお、旋回位置の吸着ノズル３３２に保持されたリード部品４１０のリード４１４が、鉛直方向での下方を向くように、吸着ノズル３３２は、ノズル回転装置３３５の作動により、回転される。
【００４５】
部品保持ヘッド３０２が部品キャリヤ３８８の上方に移動すると、リード４１４が鉛直方向での下方を向いた状態のリード部品４１０が、部品受け部材３９２の部品受容凹部４１６内に挿入される。これにより、リード部品４１０は、図１０に示すように、リード４１４を鉛直方向での下方に向けた状態で、部品受け部材３９２に載置される。
【００４６】
そして、リード部品４１０が部品受け部材３９２に載置されると、部品キャリヤ３８８は、部品キャリヤ移動装置３９０の作動により、部品供給位置に移動する。部品供給位置に移動した部品キャリヤ３８８は、作業ヘッド６０，６２の移動範囲に位置しているため、ばら部品供給装置３２では、この位置においてリード部品４１０が供給される。このように、ばら部品供給装置３２では、リード４１４が下方を向き、リード４１４が接続された底面と対向する上面が上方を向いた状態で、リード部品４１０が供給される。このため、作業ヘッド６０，６２の吸着ノズル６６は、適切にリード部品４１０を保持することが可能となる。
【００４７】
（ｂ）リード部品の部品収容容器への収容、及びステージへの散在
ばら部品供給装置３２では、部品支持部材１５０のステージ１５６の上にピックアップ対象部品が散在されている際には、散在されているピックアップ対象部品のピックアップが繰り返され、ピックアップされたピックアップ対象部品が部品受け部材３９２に載置される。そして、部品受け部材３９２の装着された部品キャリヤ３８８が部品供給位置に移動されることで、リード部品４１０の供給が行われる。ただし、部品支持部材１５０のステージ１５６の上にピックアップ対象部品が散在されていない場合、つまり、ピックアップ可能なリード部品４１０が全てピックアップされ、非ピックアップ対象部品のみがステージ１５６の上に残存している場合には、ステージ１５６からリード部品４１０をピックアップすることができない。
【００４８】
このため、ばら部品供給装置３２では、そのような場合に、ステージ１５６の上に残存しているリード部品４１０が部品収容容器１８０に一旦、収容される。そして、部品収容容器１８０に収容されたリード部品４１０が、ステージ１５６の上に、再度、散在され、リード部品４１０の姿勢が変化されることで、ステージ１５６からのリード部品４１０のピックアップが再開される。
【００４９】
詳しくは、部品支持部材１５０が、部品支持部材移動装置１５２の作動により、部品供給器８８の下方に向かって移動させられる。つまり、部品支持部材１５０が、露出状態（図５参照）から格納状態（図６参照）に向かって移動させられる。この際、部品支持部材１５０の前端部に配設されている部品収容容器１８０は、開口を上方に向けた姿勢、つまり、収容姿勢とされている。そして、部品支持部材１５０の移動に伴って、部品支持部材１５０のステージ１５６上のリード部品４１０は、部品供給器８８の傾斜板１２８の前方側の端部によって堰き止められる。さらに、部品支持部材１５０が、図６に示すように、格納状態に至るまで移動させられると、ステージ１５６上のリード部品４１０が、部品収容容器１８０の内部に掻き落とされる。
【００５０】
続いて、部品支持部材１５０が、部品支持部材移動装置１５２の作動により、格納状態から前方に向かって移動させられる。そして、部品支持部材１５０が格納状態から所定量、前方に向かって移動したタイミングで、部品戻し装置９２の容器搖動装置１８１が作動し、部品収容容器１８０が搖動する。これにより、部品収容容器１８０の姿勢が、開口を上方に向けた姿勢（収容姿勢）から、開口をステージ１５６に向けた姿勢（戻し姿勢）に勢いよく変化する。この際、部品収容容器１８０に収容されたリード部品４１０が、ステージ１５６に向かって勢いよく放出される。これにより、部品収容容器１８０からステージ１５６の上にリード部品４１０が散在されることで、リード部品４１０の姿勢が変更され、ステージ１５６の上から、再度、リード部品４１０がピックアップされる。
【００５１】
＜ばら部品供給装置による供給部品の種類の変更＞
上述したように、ばら部品供給装置３２では、部品供給器８８に収容されているリード部品４１０が、部品キャリヤ３８８の部品受け部材３９２に載置された状態で供給される。また、部品供給器８８に収容されるリード部品４１０の種類を交換することで、ばら部品供給装置３２により供給される部品の種類が変更される。つまり、作業者が、部品供給器８８をばら部品供給装置３２の内部から取り出し、部品供給器８８の内部に収容されているリード部品４１０を、別の種類の部品に取り換える。そして、異なる種類の部品が収容された部品供給器８８を、ばら部品供給装置３２に装着することで、ばら部品供給装置３２により供給される部品の種類を変更することができる。
【００５２】
ただし、ばら部品供給装置３２により供給される部品の種類が変更される際に、部品支持部材１５０のステージ１５６に、部品が残存している場合があり、このような場合には、ステージ１５６に残存している部品を回収する必要がある。このため、従来の手法では、作業者が、ステージ１５６に残存している部品を個別に手作業により回収していた。若しくは、上述したように、部品支持部材１５０を露出状態（図５参照）から格納状態（図６参照）に移動させることで、ステージ１５６に残存している部品を、部品収容容器１８０の内部に収容し、その部品収容容器１８０の内部に収容された部品を、作業者が手作業により回収していた。しかしながら、ステージ１５６に多くの部品が残存している場合には、作業者が、ステージ１５６若しくは、部品収容容器１８０から部品を複数回、回収する必要があり、作業者の負担が大きく、回収時間も長くなる。また、部品回収時に、作業者は、ばら部品供給装置３２の内部に手を突っ込んで、部品の回収作業を行うが、ばら部品供給装置３２の内部は狭いため、回収作業を行い難い。
【００５３】
このようなことに鑑みて、ばら部品供給装置３２では、ステージ１５６の上に残存している部品を部品収容容器１８０に一旦、収容し、その部品収容容器１８０に収容された部品を回収容器（図１２参照）４７０に投入することで、ステージ１５６の上に残存している部品が、一度に纏めて回収される。詳しくは、上述した複数の操作スイッチ４５８には、回収開始スイッチがあり、その回収開始スイッチが操作されると、操作信号が個別制御装置４５２に入力される。そして、個別制御装置４５２は、その操作信号を受け付けると、部品支持部材１５０を露出状態（図５参照）から格納状態（図６参照）に移動させるように、部品支持部材移動装置１５２の作動を制御する。この際、部品収容容器１８０は、収容姿勢とされている。そして、部品支持部材１５０の移動に伴って、部品支持部材１５０のステージ１５６上のリード部品４１０が、上述したように、部品収容容器１８０の内部に収容される。次に、部品支持部材１５０が格納状態に至ると、個別制御装置４５２は、部品支持部材１５０を格納状態（図５参照）から露出状態（図６参照）に移動させるように、部品支持部材移動装置１５２の作動を制御する。
【００５４】
そして、部品支持部材１５０が露出状態に至ると、個別制御装置４５２は、回収容器４７０を部品支持部材１５０のステージ１５６の上面にセットするように促す画面を、表示装置４５６に表示する。回収容器４７０は、図１２に示すように、概して直方体の箱状とされている。回収容器４７０の下面４７２は矩形をなし、長辺がステージ１５６の前後方向、つまり、Ｙ方向の長さと略同じであり、短辺がステージ１５６の幅方向、つまり、Ｘ方向の長さより僅かに短くされている。なお、ステージ１５６の寸法は、露出状態（図５参照）でのステージ１５６の寸法とされている。その回収容器４７０の下面４７２の１対の長辺に、１対の側面４７４が立設されており、下面４７２の１対の短辺のうちの一方の短辺に、側面４７６が立設されている。なお、１対の側面４７４の各々の長手方向における一端側の上部に、段付き形状に切り欠かれた切欠部４７８が形成されている。また、回収容器４７０の上面４８０は、下面４７２より長辺の短い矩形をなし、切欠部４７８を除く回収容器４７０の上端部を覆っている。つまり、回収容器４７０は、概して直方体の箱状をなし、長手方向の一端側の側面が開口している。なお、回収容器４７０の上面４８０の切欠部４７８に近い側の端部には、概して矩形の貫通孔４８２が形成されている。
【００５５】
そして、回収容器４７０をステージ１５６の上面にセットするように促す画面が表示装置４５６に表示されると、作業者が、図１３に示すように、回収容器４７０の切欠部４７８が部品収容容器１８０を向くように、回収容器４７０をステージ１５６の上面に載置する。つまり、回収容器４７０の開口が部品収容容器１８０を向くように、回収容器４７０がステージ１５６の上面に載置される。この際、回収容器４７０の切欠部４７８の反対側の端面は、部品供給器８８の傾斜板１２８に接触しており、回収容器４７０の切欠部４７８側の端部は、ステージ１５６の部品収容容器１８０側の端部と略一致している。
【００５６】
また、複数の操作スイッチ４５８には、載置完了スイッチがあり、作業者は、ステージ１５６への回収容器４７０の載置が完了すると、その載置完了スイッチを操作する。そして、載置完了スイッチが操作されると、操作信号が個別制御装置４５２に入力される。個別制御装置４５２は、その操作信号を受け付けると、部品収容容器１８０を、開口を上方に向けた姿勢（収容姿勢）から、開口をステージ１５６に向けた姿勢（戻し姿勢）に変化させるように、容器搖動装置１８１の作動を制御する。この際、図１４に示すように、部品収容容器１８０に収容されたリード部品４１０が、ステージ１５６に載置された回収容器４７０の開口に向かって放出される。これにより、部品収容容器１８０に収容されたリード部品４１０が回収容器４７０の内部に回収される。なお、部品収容容器１８０が、開口をステージ１５６に向けた姿勢（戻し姿勢）に揺動した際に、回収容器４７０の切欠部４７８によって、回収容器４７０と部品収容容器１８０との当接が回避される。
【００５７】
続いて、部品収容容器１８０の作動が完了すると、個別制御装置４５２は、回収作業終了ランプ（図示省略）を点灯させる。作業者は、その回収作業終了ランプの点灯を確認すると、ばら部品供給装置３２の内部に手を突っ込んで、回収容器４７０の貫通孔４８２に指を挿入し、回収容器４７０を把持する。そして、その回収容器４７０をばら部品供給装置３２の外部に取り出すことで、ステージ１５６の上に残存していた全ての部品が、ばら部品供給装置３２の外部に取り出され、回収される。このように、ばら部品供給装置３２では、作業者が、回収容器４７０をステージ１５６にセットし、スイッチ操作を行った後に、その回収容器４７０を取り出すだけで、ステージ１５６の上に残存していた部品を全て回収することが可能となる。これにより、作業者の負担を軽減するとともに、部品回収作業に要する時間を短縮することが可能となる。
【００５８】
また、作業者が回収容器４７０をステージ１５６にセットした後に、回収容器４７０をステージ１５６にセットしたことを忘れて、部品支持部材移動装置１５２を作動させる場合がある。このような場合には、ステージ１５６が僅かにスライドし、ステージ１５６にセットされた回収容器４７０が部品収容容器１８０に当接することで、部品支持部材１５０のスライドが規制される。詳しくは、回収容器４７０がステージ１５６にセットされた際に、回収容器４７０の切欠部４７８の反対側の端面は、部品供給器８８の傾斜板１２８に接触しており、回収容器４７０の切欠部４７８側の端部は、ステージ１５６の部品収容容器１８０側の端部と略一致している。また、図１３に示すように、部品収容容器１８０の搖動中心と反対側の端部には、上方に突出する突出面４９０が配設されている。この突出面４９０は、部品収容容器１８０が搖動した際に内部に収容された部品を勢いよく放出するために設けられたものである。そして、ステージ１５６に回収容器４７０がセットされた状態で、部品支持部材１５０が露出状態から格納状態にスライドすると、回収容器４７０の切欠部４７８の反対側の端面が、部品供給器８８の傾斜板１２８に接触した状態で、回収容器４７０の切欠部４７８側の端部が、部品収容容器１８０の突出面４９０に当接する。これにより、回収容器４７０をステージ１５６にセットしたことを忘れて、部品支持部材移動装置１５２を作動させた場合においても、部品支持部材１５０のスライドを規制することが可能となる。
【００５９】
また、個別制御装置４５２は、図１１に示すように、受付部５００と収容部５０２と報知部５０４と取得部５０６と回収部５０８とを有している。受付部５００は、回収開始スイッチのスイッチ操作を受け付けるための機能部である。収容部５０２は、部品支持部材移動装置１５２を作動させ、ステージ１５６に残存している部品を部品収容容器１８０に収容するための機能部である。報知部５０４は、回収容器４７０をステージ１５６にセットするように促す画面を表示装置４５６に表示するための機能部である。取得部５０６は、載置完了スイッチのスイッチ操作によって、ステージ１５６に回収容器４７０がセットされたことを取得するための機能部である。回収部５０８は、容器搖動装置１８１を作動させて、部品収容容器１８０を、開口を上方に向けた姿勢（収容姿勢）から、開口をステージ１５６に向けた姿勢（戻し姿勢）に変化させるための機能部である。
【００６０】
ちなみに、ばら部品供給装置３２は、部品供給システムの一例である。傾斜板１２８は、当接部の一例である。部品支持部材１５０は、部品支持部の一例である。部品支持部材移動装置１５２は、収容装置及びスライド機構の一例である。部品収容容器１８０は、収容容器の一例である。容器搖動装置１８１は、容器姿勢変化装置の一例である。回収容器４７０は、回収容器の一例である。突出面４９０は、ストッパの一例である。個別制御装置４５２は、制御装置の一例である。受付部５００は、受付部の一例である。収容部５０２は、収容部の一例である。報知部５０４は、報知部の一例である。取得部５０６は、取得部の一例である。回収部５０８は、回収部の一例である。
【００６１】
なお、本発明は、上記実施例に限定されるものではなく、当業者の知識に基づいて種々の変更、改良を施した種々の態様で実施することが可能である。具体的には、例えば、上記実施例では、回収容器４７０がステージ１５６にセットされたことを、個別制御装置４５２は、載置完了スイッチの操作入力により取得しているが、回収容器４７０がステージ１５６にセットされたことを、センサ等により取得してもよい。
【００６２】
また、上記実施例では、部品収容容器１８０が搖動され、部品収容容器１８０に収容された部品がステージ１５６の上に散在されているが、揺動に限定されず、部品収容容器１８０を直線的に移動させることで、部品収容容器１８０の姿勢を変化させ、部品収容容器１８０に収容された部品をステージ１５６の上に散在させてもよい。
【００６３】
また、上記実施例では、部品支持部材１５０を部品供給器８８の下方に向かってスライドさせ、ステージ１５６の上に残存する部品を部品収容容器１８０に収容しているが、部品支持部材１５０の上に散在されているリード部品４１０に当接可能な高さに当接部材を配設し、その当接部材を部品収容容器１８０に向かって移動させ、その当接部材によって掻き集められた部品を部品収容容器１８０に収容してもよい。
【００６４】
また、上記実施例では、リードを有する部品に本発明が適用されているが、種々の種類の部品に本発明を適用することが可能である。具体的には、例えば、太陽電池の構成部品，パワーモジュールの構成部品，リードを有さない電子回路部品等に、本発明を適用することが可能である。
【符号の説明】
【００６５】
３２：ばら部品供給装置（部品供給システム）    １２８：傾斜板（当接部）    １５０：部品支持部材（部品支持部）    １５２：部品支持部材移動装置（収容装置）（スライド機構）    １８０：部品収容容器（収容容器）    １８１：容器搖動装置（容器姿勢変化装置）    ４７０：回収容器    ４９０：突出面（ストッパ）    ４５２：個別制御装置（制御装置）    ５００：受付部    ５０２：収容部    ５０４：報知部    ５０６：取得部    ５０８：回収部
【図１】
2018079532.tif 000003
【図２】
2018079532.tif 000004
【図３】
2018079532.tif 000005
【図４】
2018079532.tif 000006
【図５】
2018079532.tif 000007
【図６】
2018079532.tif 000008
【図７】
2018079532.tif 000009
【図８】
2018079532.tif 000010
【図９】
2018079532.tif 000011
【図１０】
2018079532.tif 000012
【図１１】
2018079532.tif 000013
【図１２】
2018079532.tif 000014
【図１３】
2018079532.tif 000015
【図１４】
2018079532.tif 000016